(57)【要約】      （修正有）【課題】  中折り処理を施さないサイズの用紙を選択して最初の頁、及び最終頁の画像形成を行い、中折り処理を施すサイズの用紙を選択して他の頁の画像形成を行い、これらに後処理装置にて綴じ処理を施して製本を行うことができる画像形成システムの実現。【解決手段】  前記画像形成装置は、中折り処理を施さない用紙を選択して、冊子の第１頁、及び、最終頁の画像形成を行い、中折り処理を施す用紙を選択して他の面の画像形成を行って、画像形成後の用紙を後処理装置に送るように、前記後処理装置は、中折り処理を施さない用紙と、中折り処理を施した用紙とを、前記画像形成装置から送られた順番に重ねた用紙束を形成し、前記用紙束に綴じ処理を施すように制御する制御手段を有することを特徴とする画像形成システム。【選択図】        図４
2006117404.tif 000002
【特許請求の範囲】
【請求項１】
用紙の両面に画像形成が可能な画像形成装置、及び、中折り手段、綴じ手段を有する後処理装置からなる画像形成システムであって、
前記画像形成装置は、
中折り処理を施さない用紙を選択して、冊子の第１頁、及び、最終頁の画像形成を行い、中折り処理を施す用紙を選択して他の面の画像形成を行って、画像形成後の用紙を後処理装置に送るように、
前記後処理装置は、
中折り処理を施さない用紙と、中折り処理を施した用紙とを、前記画像形成装置から送られた順番に重ねた用紙束を形成し、前記用紙束に綴じ処理を施すように
制御する制御手段を有することを特徴とする画像形成システム。
【請求項２】
中折り処理を施す用紙を選択して全ての頁の画像形成を行うモードと、
中折り処理を施さない用紙を選択して全ての頁の画像形成を行うモードと、
を有することを特徴とする請求項１に記載の画像形成システム。
【発明の詳細な説明】
【技術分野】
【０００１】
本発明は、画像形成装置と、画像形成装置により画像形成された用紙に中折り処理、及び綴じ処理を施す後処理装置とからなる画像形成システムに関わる。
【背景技術】
【０００２】
複写機、プリンタ等の画像形成装置により複数の頁の画像形成を行い、後処理装置により、画像形成された用紙に折り処理、綴じ処理を施して一冊の本、又は、一部の書類を作成する画像形成システムは広く一般に用いられているシステムである。
【０００３】
このようなシステムにおいては、あるサイズの用紙、例えばＡ４サイズの用紙と、その２倍のサイズのＡ３の用紙とに所定の頁の画像形成を行い、Ａ３の用紙にはＺ折り等の処理を施すことによりＡ４サイズとした後に、Ａ４サイズの用紙と共に順次積載して綴じ処理を施す様な後処理装置が知られている（例えば、特許文献１参照）。
【０００４】
画像形成システムの機能を最大限に発揮させるためには、画像形成装置の仕様、例えば、用紙の両面への画像形成ができるか否か、１枚の用紙の両面に４頁の頁取りができるか否かというような仕様に対して、後処理装置の仕様が適合していることが望ましい。このような要求への対応として、画像形成装置からの出力が片面のみの場合には平綴じ、両面の場合には両面平綴じ、両面に４頁の頁取りができる場合には中綴じと、折り綴じのどちらか一方を選択できるようにした後処理装置の提案もある（例えば、特許文献２参照）。
【０００５】
上述したような多様な後処理の中で、中折りをした用紙を順次積み重ねて、中折りを施した端部を揃えて綴じテープで綴じる製本処理は、製本された本の見開きが容易であり、且つ、頁の抜け落ちが発生しにくいという長所を持つ。この場合、画像形成装置は、読み込んだ全ての頁を原稿として記憶して、用紙の両面の４頁に正しい頁が出力されるように頁取りを行って、画像形成した用紙を後処理装置に送る。
【０００６】
しかしながら、本の第１頁（第１面）、最終頁（最終面）には、内部の頁とは異なった厚さの用紙、又は異なった紙質の用紙を使用したいという要求も多い。なお、この場合には、綴じテープの端部が第１面と最終面の表面端部に折り曲げられ、接着されるので、使用される用紙は中折り処理をされていなくても抜け落ちが発生する恐れはない。
【０００７】
このような要求に対応するために、後処理装置に用紙を供給するための給紙トレイを設けて、この給紙トレイに予め第１面の画像が形成されている用紙、及び最終面の画像が形成されている用紙を載置して、これらの用紙を、画像形成装置から送られ中折り処理を施されて、スタッカに送られる用紙の先頭と末尾に入るように供給して、形成された用紙束に綴じ処理を施して製本する製本装置も知られている。
【特許文献１】特開平１０−１９４５８６号公報（第１−２頁）
【特許文献２】特開２００４−９９１９６号公報（第１頁）
【発明の開示】
【発明が解決しようとする課題】
【０００８】
しかしながら、上述したような後処理装置の給紙トレイに、第１面の画像が形成されている用紙、及び最終面の画像が形成されている用紙を載置して、これらの用紙を、中折りして順次積載した用紙束の前後に入るように供給する方法は、給紙トレイに予め画像形成された用紙を載置しておく必要があるので、第１面から最終面に至る全ての頁の画像形成作業と後処理とを１度の作業で行うことができない。
【０００９】
即ち、はじめに、１冊の本の表紙、又は、裏表紙となる用紙への画像形成作業を行って、作成した用紙を後処理装置の給紙トレイに載置してから、再度、他の頁の画像形成作業を実行して、後処理を施すという作業形態となる。これは、非効率であると同時に、後処理装置の給紙台に載置する用紙の表裏や、上下の向き等に注意を払わなければならないというやっかいな作業も必要になる。
【００１０】
従って、第１面から、最終面までの画像形成と、後処理が１度の設定作業で実行できることが望ましい。
【００１１】
本発明は、上述したような状況に鑑みてなされたもので、その目的は、中折り処理を施さないサイズの用紙を選択して表紙となる第１面、及び、裏表紙となる最終面の画像形成を行い、中折り処理を施すサイズの用紙を選択して他の面（他の頁）の画像形成を行い、これらに後処理装置にて綴じ処理を施して製本を行うことができる画像形成システムを実現することにある。
【課題を解決するための手段】
【００１２】
上記課題は、以下の請求項に記載の画像形成システムの実現により達成される。
（請求項１）
用紙の両面に画像形成が可能な画像形成装置、及び、中折り手段、綴じ手段を有する後処理装置からなる画像形成システムであって、
前記画像形成装置は、
中折り処理を施さない用紙を選択して、冊子の第１頁、及び、最終頁の画像形成を行い、中折り処理を施す用紙を選択して他の面の画像形成を行って、画像形成後の用紙を後処理装置に送るように、
前記後処理装置は、
中折り処理を施さない用紙と、中折り処理を施した用紙とを、前記画像形成装置から送られた順番に重ねた用紙束を形成し、前記用紙束に綴じ処理を施すように
制御する制御手段を有することを特徴とする画像形成システム。
（請求項２）
中折り処理を施す用紙を選択して全ての頁の画像形成を行うモードと、
中折り処理を施さない用紙を選択して全ての頁の画像形成を行うモードと、
を有することを特徴とする請求項１に記載の画像形成システム。
【発明の効果】
【００１３】
請求項１に記載の発明によれば、画像形成装置により、中折りを施す用紙と、表紙、及び裏表紙になる用紙とに、所定の頁取りを行い、頁取りに従った順番で画像形成をして、後処理装置により、中折りを施す用紙に中折り処理を施し、中折りされた用紙束の最上面と最下面に、表紙、及び裏表紙になる用紙を載置して綴じ処理を施す製本作業を、一回の作業設定で、実行させることができる画像形成システムが実現される。このシステムの実現により、用紙の抜け落ちの恐れがない確実な綴じ処理がなされ、且つ、見栄えの良い表紙を有する本を容易に作ることができるようになる。
【００１４】
請求項２に記載の発明によれば、画像形成装置に準備された用紙の種類に対応して、中折り処理を施す用紙による製本処理、中折り処理を施さない用紙による製本処理、及び、中折り処理を施す用紙と、中折り処理を施さない用紙とによる製本処理を選択することができる画像形成システムが実現される。
【発明を実施するための最良の形態】
【００１５】
以下、図面に基づき本発明の実施の形態を説明する。
【００１６】
図１は、画像形成装置と後処理装置とが接続された画像形成装置システムの概念図である。
【００１７】
画像形成装置Ａは、公知の電子写真技術により画像形成を行うデジタル式の複写機である。画像形成装置Ａには、上部に自動原稿送り装置１が設けられており、また、後処理装置Ｂが接続されている。
【００１８】
画像形成装置Ａは、自動原稿送り装置１、読み取り手段２、書き込み手段３、画像形成手段４、定着手段５、反転排紙手段６、再給紙手段７、用紙搬送手段８、給紙手段９、制御手段Ｃ１、操作表示手段Ｅ等から構成されている。
【００１９】
自動原稿送り装置１は、原稿載置台１０の上に載置された原稿Ｄを１枚ずつ原稿搬送路１１に送り出し、原稿排紙台１２に排紙する。搬送中の原稿Ｄの画像面は、原稿読み取り位置１３にて読み取り手段２にて読み取りがなされる。原稿Ｄの両面の画像を読み取る場合には、第１面の読み取りがなされた原稿Ｄを反転手段１４により反転して、再度、原稿搬送路１１に送り出し、第２面の読み取りを行い、原稿排紙台１２に排紙する。
【００２０】
読み取り手段２は、光源２１、第１ミラーユニット２２、第２ミラーユニット２３、結像レンズ２４、ＣＣＤ２５等からなり、画像読み取り位置１３を走行する原稿Ｄの画像を走査して、その画像をＣＣＤ２５に結像させて、光学的情報である原稿画像情報を電気的情報に変換する。変換された原稿画像情報は、Ａ／Ｄ変換、シェーディング補正、圧縮等の処理が施され、制御手段Ｃ１のメモリＭ１に保存される。
【００２１】
書き込み手段３は、レーザ光源、シリンドリカルレンズ、Ｆθレンズ、ミラー、ポリゴン等で構成される走査光学系で、前記メモリＭから読み出された画像情報に対応して変化するレーザビームにて、画像形成手段４の感光体４１の表面を走査して、前記感光体４１の表面に潜像を形成する。
【００２２】
画像形成手段４は、感光体４１の表面に形成された潜像を、現像手段４２にて現像処理を行いトナー画像として顕像化するものである。前記トナー画像は、転写手段４３によりレジストローラ８１により送り出された用紙Ｐに転写される。トナー画像の転写を終えた感光体表面は、クリーニング手段４４により、残留トナーが除去されて、帯電手段４５により電荷が付与されて、次の潜像形成に供される。
【００２３】
定着手段５は、対向して配置された、熱ローラ５１と、加圧ローラ５２とによりトナー画像を担持した用紙Ｐを加熱加圧することにより、トナー画像を用紙Ｐに定着する。
【００２４】
画像定着を終えた用紙Ｐは、排紙ローラ５５により、後処理装置Ｂに送られる。
【００２５】
用紙Ｐを反転させて排紙する場合には、排紙ガイド５７により用紙Ｐを下方に導き、反転手段の反転ローラ６１に前記用紙Ｐの後端を挟持させ、反転して排紙ローラ５５に送り出す。
【００２６】
用紙Ｐの両面に画像形成を行う場合には、排紙ガイド５７と複数のローラにより用紙Ｐを再給紙手段７に送り、再給紙手段７の反転ローラ７１により用紙Ｐを反転して、再度、用紙搬送手段８に送り出す。
【００２７】
用紙搬送手段８は、複数のローラと、ガイド部材とからなる用紙の搬送路で、給紙手段９から送り出された用紙Ｐを搬送して、用紙Ｐの先端をレジストローラ８１に突き当てた後、トナー画像を受容するために感光体４１に向けて送り出す。
【００２８】
給紙手段９は、小容量のトレイを有する第１給紙手段９１、大容量のトレイを有する第２給紙手段９２、第３給紙手段９３から構成される。これらの第１〜第３の給紙手段には、異なるサイズの用紙Ｐを載置しても良いし、異なる紙質の用紙Ｐを載置しても良い。
【００２９】
前記各給紙手段は、各々のトレイに載置された用紙Ｐを１枚ずつ用紙搬送手段８に送り出す送り出しローラ９１６、９２６、９３６を有している。また、第２給紙手段９２、及び第３給紙手段９３には、積載された用紙の上面位置を検知する上面検知手段が設けられ、前記検知手段からの上面検知信号を基に、制御手段Ｃ１は用紙Ｐを積載しているトレイの底面を上下させている。
【００３０】
操作表示手段Ｅは、画像形成装置Ａの本体上面に設けられたタッチパネルで、表示と入力の両方の機能を有し、コピー枚数の設定をはじめ、出力したコピーに施す後処理のモードの選択等のような制御手段Ｃ１への指示操作を行うために用いられる。
【００３１】
後処理装置Ｂは、図に示すように第１搬送手段１００、第２搬送手段２００、用紙集積手段３００、綴じ手段５００、第３搬送手段６００、排紙トレイ７００、搬送路切換手段Ｇ、制御手段Ｃ２等から構成される。
【００３２】
図２は、図１の後処理装置を、より詳細に説明する概念図である。
【００３３】
第１搬送手段１００は、複数の搬送ローラと複数のガイド板とから構成される。画像形成装置Ａから排出された用紙Ｐは、後処理装置Ｂの搬入ローラＲと、図の点線位置にある搬送路切換手段Ｇとにより第１搬送手段１００に導かれ、第１搬送手段１００は送られた用紙Ｐを用紙集積手段３００に載置する。
【００３４】
第２搬送手段２００も、複数の搬送ローラと複数のガイド板とから構成される。画像形成装置Ａから排出された用紙Ｐは、後処理装置Ｂの搬入ローラＲと、図の実践位置にある搬送路切換手段Ｇとにより第２搬送手段２００に導かれ、第２搬送手段２００は、操作表示手段Ｅにより中折り処理を施さないモードが選択されていた場合には、送られた用紙Ｐを、矢印ａの方向に搬送して、排紙トレイ７００に積載する。
【００３５】
中折り処理を施すモードが選択されていた場合には、突き当て部材８０１に先端が突き当てられ停止された後、中折り手段８００にて中折りされた用紙Ｐを、ローラとガイド板とにより下方に導くことによって、用紙集積手段３００に載置する。
【００３６】
用紙集積手段３００は、第１搬送手段１００、もしくは第２搬送手段２００から搬送された用紙Ｐを順次載置するスタッカ３０１、スタッカ３０１上に載置された用紙Ｐの先端を揃える先端突き当て板３０２、用紙Ｐの側縁を揃える側縁ガイド３０３、スタッカ移動手段３０４等から構成される。
【００３７】
スタッカ３０１に順次載置された用紙Ｐは、スタッカ３０１上を滑り落ち、スタッカ３０１の端部にある先端突き当て板３０２に先端が突き当たることにより先端部が揃えられ、また、揺動する側縁ガイド３０３により側端部が揃えられ、端部が揃った用紙束となる。
【００３８】
スタッカ３０１は、スタッカ移動手段３０４により図の実線位置から点線位置まで移動する。スタッカ３０１の先端にある先端突き当て板３０２は、回転移動可能であり図の点線位置にある時には下方に移動する。なお、スタッカ移動手段３０４は、駆動プーリと、従動プーリと、これらのプーリに掛け回されたベルトからなる。図の一点鎖線で示す長円は、ベルトの回転軌跡を示す。該ベルトは、スタッカ３０１の端部に接続されており、制御手段Ｃ２の制御によりスタッカ３０１を、第１綴じ手段４００、及び、第２綴じ手段による綴じ処理を実行させるための所定の位置に停止させることができる。
【００３９】
綴じ手段５００は、ホットメルトタイプの糊が塗布された綴じテープＴにより、用紙束の端部に綴じ処理を施す手段で、製本装置等でも広く用いられている公知の手段である。
【００４０】
綴じ手段５００の直近で停止した前記スタッカ３０１上の用紙束は、先端突き当て板３０２が下方に移動することにより、スタッカ３０１上を滑り落ち、先端が先端規制板５０１に突き当たり、各用紙の先端が揃えられ、また、側縁ガイド３０３の揺動により側端部が揃えられる。
【００４１】
端部が揃えられた前記用紙束は、用紙束保持手段５０２により挟持される。用紙束保持手段５０２による用紙束の端部が挟持されると、前記先端規制板５０１は下方に移動して、所定の長さに切断された綴じテープＴの糊面が用紙束の端面に密着するように綴じテープ搬送手段（不図示）が移動する。
【００４２】
前記綴じテープＴの両側は、前記綴じテープＴの背面から用紙束の方向に進行する二つの折り曲げ部材５０３により用紙束の最上面と最下面に向けて折り曲げられる。折り曲げられた綴じテープＴは、移動してきた加熱手段５０４により、背面と両側面とが用紙束に加熱されながら押圧される。
【００４３】
所定の時間の加熱と押圧を終えた加熱手段５０４は元の位置に復帰して、綴じテープＴの糊が冷却することにより用紙束が綴じテープＴにより綴じられる。
【００４４】
綴じ手段５００による綴じ処理が終わると、スタッカ３０１は上方に移動するので、用紙束の綴じ処理がされていない他端部は、ベルト式の搬送手段である第３搬送手段６００に載る。次に、用紙保持手段５０２による用紙束の挟持が解かれ、用紙束は第３搬送手段６００に載置されて、排紙トレイ７００に排出される。
【００４５】
排紙トレイ７００は、昇降可能なトレイで、公知の技術手段である。トレイの上面、あるいは、トレイに既に用紙や用紙束が載置されている場合には用紙の最上面は、第１〜３搬送手段により排出される用紙あるいは用紙束を順次積載する位置にあるように制御手段Ｃ２により制御される。
【００４６】
中折り手段８００は、用紙Ｐを中心線で折り曲げる手段で、第２搬送手段２００の搬送路に設けられた、公知の技術手段である。
【００４７】
本発明においては、用紙Ｐの折り位置が用紙Ｐの中心線からずれることにより、用紙束の端部の不揃いが生ずることを防止するために、用紙Ｐの中心線が、折りナイフ８０３の刃の位置にて正確に停止ようにしてある。
【００４８】
第２搬送手段２００の複数のローラにより搬送されてきた用紙Ｐの先端は、搬送路上に設けられ用紙検知センサＳ２により検知される。用紙検知センサＳ２による検知信号が制御手段Ｃ２に送られると、制御手段Ｃ２は、画像形成装置Ａの制御手段Ｃ１から送られた用紙Ｐのサイズ情報を基に用紙Ｐの中心線が折りナイフ８０３の刃の先端位置にて正確に停止するように、先ず、突き当て部材８０１の位置を搬送路に沿って移動させて、次に、進行してくる用紙Ｐの先端を突き当てるために搬送路を遮るように下降させる。
【００４９】
一方、搬送ローラ２０３、２１３は、用紙Ｐの先端が用紙検知センサＳ２により検知された後に、先端が前記突き当て部材８０１との突き当たり位置よりも、さらに、ごくわずか（例えば、数ミリメートル）先に進むように制御手段Ｃ２により制御される。従って、先端が突き当て部材８０１に突き当たり、さらにごくわずか前記ローラ２０２、２１３に送られた用紙Ｐには、小さな湾曲部が形成される。前記搬送ローラ２０３は、所定量の用紙Ｐの搬送を終えると上方に移動するので、先端が突き当て部材８０１に突き当たっている前記用紙Ｐの後端は、搬送方向とは逆の方向に移動し、形成された前記湾曲部は解消して、用紙Ｐは平面状態となる。
【００５０】
このようにして、用紙Ｐは、平面状態で、且つ、その中心線が折りナイフ８０３の刃の直下にある状態で停止する。停止した用紙Ｐは、下降してくる折りナイフ８０３により中心線の位置が折られ、対向して回転する折りローラ８０２に押し込まれる。押し込まれた用紙Ｐは、二つに折られ、折られた端部を先頭にして、用紙集積手段３００のスタッカ３０１に載置される。
【００５１】
図３は、本実施の形態における後処理装置Ｂと画像形成装置Ａの制御関係を示すブロック図である。
【００５２】
後処理装置Ｂの制御手段Ｃ２、及び、画像形成装置の制御手段Ｃ１は、ＣＰＵ、演算ユニット、メモリ、入出力Ｉ／Ｆ、通信手段、駆動回路等と、メモリに記憶させてあるプログラムからなる。なお、本図では、本実施の形態の説明に不要なブロックの記載を省略している。
【００５３】
図４は、後処理装置Ｂのスタッカに形成される用紙束の例を示す図である。
【００５４】
図４（ａ）は、第１搬送手段１００により搬送された用紙Ｐが集積されて形成された用紙束を模式的に示す図であり、図４（ｂ）は、中折り手段８００により中折り処理が施され、第２搬送手段２００により搬送された用紙Ｐが集積されて形成された用紙束を模式的に示す図であり、図４（ｃ）は、１搬送手段１００により搬送された用紙と、中折り手段８００により中折り処理が施され、第２搬送手段２００により搬送された用紙Ｐとが混在して形成された用紙束を模式的に示す図である。なお、図４（ｃ）の、第１搬送手段１００により搬送された用紙Ｐは、図で示されるように表紙、及び、裏表紙の位置に載置される。
【００５５】
図５は、上述した画像形成装置Ａと後処理装置Ｂとからなる画像形成システムにより実行される、中折り処理、用紙束の形成、及び、綴じ処理の流れを示すフローチャートである。
【００５６】
ユーザは、画像形成装置Ａの操作表示手段Ｅにより、処理モードの設定を行う。設定された情報は制御手段Ｃ１のメモリＭ１に設けられた所定のテーブルに登録され、制御手段Ｃ１のメモリＭ１、及び、制御手段Ｃ２のメモリＭ２にストアされている複数の関連する処理プログラムより参照されて、各種動作が実行される。
【００５７】
処理モードの設定は、先ず、綴じ処理を施すモードか、又は、施さないモードかの選択から始められる（ステップＳ１）。綴じ処理を施さないモードが選択された場合には、（ステップＳ１：Ｎ）、用紙Ｐは、第２搬送手段２００に送られ（ステップＳ１３）、第２搬送手段により排紙トレイ７００に排紙される（ステップＳ１２）。
【００５８】
もし、綴じ処理を施す設定が選択された場合には（ステップＳ１：Ｙ）、次に、用紙Ｐに中折り処理を施すか否かが選択される（ステップＳ２）。中折り処理を施さないモードが選択された場合には（ステップＳ２：Ｎ）、用紙Ｐは第１搬送手段１００に送られ（ステップＳ１４）、用紙集積手段３００のスタッカ３０１に集積され、用紙束が形成される（ステップＳ７）。
【００５９】
中折り処理を施すモードが選択された場合には（ステップＳ２：Ｙ）、表紙を付加するか否かの選択の選択がなされる（ステップＳ３）。もし、表紙を付加しないモードが選択された場合には（ステップＳ３：Ｙ）、用紙Ｐは第２搬送手段２００に送られ、既に説明したように、所定位置にて停止した後、中折り手段８００による中折り処理が施され（ステップＳ６）、スタッカ３０１に集積され、用紙束が形成される（ステップＳ７）。
【００６０】
もし、表紙を付加するモードが選択された場合には（ステップＳ３：Ｙ）、画像形成装置Ａからは、最初に、表紙となる用紙Ｐが送られ（ステップＳ４：Ｙ）、この用紙Ｐは、第１搬送手段１００により（ステップＳ１５）、スタッカ３０１に載置される（ステップＳ７）。次に、中折り処理を施す所定の枚数分の用紙Ｐが画像形成装置から順次送られるので（ステップＳ４：Ｎ）、これらの各用紙に中折り処理を施して（ステップＳ６）、既に、スタッカ３０１上に載置されている表紙となる用紙Ｐの上に順次積載する（ステップＳ７）。所定の枚数分の中折り処理が施された用紙Ｐの積載が終了すると、画像形成装置Ａからは、裏表紙となる用紙Ｐが出力され、第１搬送手段１００により搬送されて（ステップＳ４：Ｙ、ステップＳ１５）、既に積載されている中折り処理が施された用紙Ｐの上に載置され、用紙束が出来上がる（ステップＳ７）。
【００６１】
なお、表紙は、表表紙のみで、裏表紙を省くようにしてもよい。
【００６２】
また、用紙束の形成終了の確認は、制御手段Ｃ２が、制御手段Ｃ１から送られた画像形成装置Ａが出力した用紙枚数を記憶して、用紙検知センサＳ１、Ｓ２による検知信号を基に計数した値であるスタッカ３０１に載置した用紙枚数が、記憶された前記用紙枚数に到達したか否かを、判定することにより行われる。
【００６３】
完成した用紙束を載せたスタッカ３０１は、綴じ手段５００の近傍まで移動する（ステップＳ８）。既に、図２を基に説明した手順にて用紙束には綴じ手段５００により綴じ処理が施され（ステップＳ９）、スタッカ３０１は、再び、第１搬送手段１００、又は、第２搬送手段２００から送られる用紙を載置するホームポジションに復帰する（ステップＳ１０）。また、点線の位置に倒された先端突き当て板３０２も元の実線位置に復帰する。
綴じ処理がなされた用紙束は、第３搬送手段６００に載置され、搬送されて（ステップＳ１１）、排紙トレイに７００に排出される（ステップＳ１２）。
【００６４】
以上説明したように、本発明により、用紙Ｐへの画像形成と、中折り処理を施した用紙束に、表紙を付加して綴じ処理を施す製本とを、操作表示手段Ｅによるモード設定にて実行させることができる。
【図面の簡単な説明】
【００６５】
【図１】画像形成システムの概念図である。
【図２】後処理装置の概念図である。
【図３】後処理装置と画像形成装置の制御関係を示すブロック図である。
【図４】用紙束の例を示す図である。
【図５】モード設定操作と画像形成システムの動作の流れを示すフローチャートである。
【符号の説明】
【００６６】
１００  第１搬送手段
２００  第２搬送手段
３００  用紙集積手段
３０１  スタッカ
３０２  先端突き当て板
３０３  側縁ガイド
３０４  スタッカ移動手段
５００  綴じ手段
５０２  用紙保持手段
６００  第３搬送手段
７００  排紙トレイ
８００  中折り手段
８０１  突き当て部材
８０２  折りローラ
８０３  折りナイフ
Ａ  画像形成装置
Ｂ  後処理装置
Ｃ１  制御手段（画像形成装置）
Ｃ２  制御手段（後処理装置）
Ｅ  操作表示手段
Ｇ  搬送路切換手段
Ｐ  用紙
Ｓ１、Ｓ２  用紙検知センサ
Ｔ  綴じテープ
【図１】
2006117404.tif 000003
【図２】
2006117404.tif 000004
【図３】
2006117404.tif 000005
【図４】
2006117404.tif 000006
【図５】
2006117404.tif 000007